(57)【要約】      （修正有）【課題】開店操作や閉店操作の操作忘れや誤操作による営業中遊技関連情報の不全防止を、非常に安価な構成によって得ること。【解決手段】遊技関連情報収集手段４、１１９と、遊技関連情報記憶手段４２と、遊技関連情報出力手段１１２、１１７と、を備える遊技用管理装置１１０、４であって、時刻情報出力手段４３，１１４と、記憶開始時刻と記憶終了時刻とを設定変更するための遊技情報記憶期間設定変更手段１１２と、現在の時刻情報が記憶開始時刻となった時点から前記遊技関連情報収集手段にて収集した遊技関連情報を当日の各遊技機の営業中遊技関連情報として記憶を開始し、現在の時刻情報が記憶終了時刻となった時点において、前記遊技関連情報収集手段にて収集した遊技関連情報を当日の各遊技機の営業中遊技関連情報として記憶することを終了する制御を行う記憶制御手段１１２と、を備える。【選択図】図５
2005152221.tif 000002
【特許請求の範囲】
【請求項１】
遊技機から出力される当該遊技機における遊技に関連して発生した遊技関連情報を収集するための遊技関連情報収集手段と、
該遊技関連情報収集手段にて収集された遊技関連情報を、各遊技機を個々に識別可能な遊技機識別情報に対応付けて記憶するための遊技関連情報記憶手段と、
該遊技関連情報記憶手段に記憶されている遊技関連情報を出力するための遊技関連情報出力手段と、
を備える遊技用管理装置であって、
現在の時刻情報を出力するための時刻情報出力手段と、
前記遊技関連情報収集手段にて収集した遊技関連情報のうち、前記遊技関連情報記憶手段にその当日の各遊技機の営業中遊技関連情報として記憶を開始する営業開始時刻に関連付けられた記憶開始時刻と、前記遊技関連情報記憶手段にその当日の各遊技機の営業中遊技関連情報としての記憶を終了する営業終了時刻に関連付けられた記憶終了時刻とを設定変更するための遊技情報記憶期間設定変更手段と、
前記時刻情報出力手段から出力される現在の時刻情報が、前記遊技情報記憶期間設定変更手段にて設定された記憶開始時刻となった時点から前記遊技関連情報収集手段にて収集した遊技関連情報を当日の各遊技機の営業中遊技関連情報として前記遊技関連情報記憶手段に記憶を開始し、現在の時刻情報が前記遊技情報記憶期間設定変更手段にて設定された記憶終了時刻となった時点において、前記遊技関連情報収集手段にて収集した遊技関連情報を当日の各遊技機の営業中遊技関連情報として前記遊技関連情報記憶手段に記憶することを終了する制御を行う記憶制御手段と、
を備えることを特徴とする遊技用管理装置。
【請求項２】
前記遊技情報記憶期間設定変更手段における記憶開始時刻および／または記憶終了時刻の設定変更を許諾するための設定変更許諾手段を備え、
該設定変更許諾手段により許諾されたことを条件に前記遊技情報記憶期間設定変更手段は、記憶開始時刻および／または記憶終了時刻を設定変更すること特徴とする請求項１に記載の遊技用管理装置。
【請求項３】
前記遊技関連情報記憶手段は、前記記憶終了時刻から前記記憶開始時刻までの期間において、前記遊技関連情報収集手段にて収集した遊技関連情報を、各遊技機を個々に識別可能な遊技機識別情報に対応付けて記憶するための時間外遊技情報記憶手段を含み、
該時間外遊技情報記憶手段に記憶されている遊技関連情報の初期化指示を受付け、該初期化指示に基づいて時間外遊技情報記憶手段に記憶されている遊技関連情報を初期化する初期化手段とを備えることを特徴とする請求項１または２に記載の遊技用管理装置。
【請求項４】
前記遊技関連情報収集手段は、遊技機から出力される前記遊技関連情報を入力するための入力手段と、該入力手段から入力された遊技関連情報を送信するための送信手段と、を備える台端末と、該台端末の送信手段から送信される遊技関連情報を受信するための受信手段と、を含み、
該台端末は前記時刻情報出力手段を備え、該時刻情報出力手段から出力される現在の時刻情報が前記遊技情報記憶期間設定変更手段にて設定されている記憶開始時刻となった時点から前記記憶終了時刻となるまでの間において前記入力手段から入力された遊技関連情報を当日の当該遊技機の営業中遊技関連情報として前記送信手段から送信し、該送信手段から送信された営業中遊技関連情報を前記受信手段は受信すること特徴とする請求項１〜３のいずれかに記載の遊技用管理装置。
【請求項５】
前記遊技情報記憶期間設定変更手段は、複数の遊技機から成るグループ単位毎に前記記憶開始時刻並びに前記記憶終了時刻を設定変更できることを特徴とする請求項１〜４のいずれかに記載の遊技用管理装置。
【発明の詳細な説明】
【技術分野】
【０００１】
本発明は、遊技場に設置された遊技機における遊技に関連して発生した遊技関連情報を管理する遊技用管理装置に関する。
【背景技術】
【０００２】
従来、これら遊技機における遊技に関連して発生した遊技関連情報を管理する遊技用管理装置（遊技機集中管理装置）としては、開店時に営業開始ボタンを押下する開店操作が実施された時点において、各遊技機から出力される入玉数や出玉数や差玉数の計数を開始し、閉店時に営業終了ボタンを押下する閉店操作が実施された時点において入玉数や出玉数や差玉数の計数を終了して、営業開始から営業終了時までの間に計数した入玉数や出玉数や差玉数を当日データ（遊技データ）として記憶するものがある。（例えば、特許文献１参照）。
【０００３】
これら開店操作や閉店操作に基づいて各種遊技データ（遊技関連情報）の集計の開始、終了を実施するものにあっては、これら開店操作や閉店操作の操作のし忘れや、誤ったタイミングにて操作をしてしまった場合において、集計された営業中遊技関連情報が間違った不全のものとなってしまい、正確な営業中遊技関連情報を把握できなくなってしまうとの問題から、これら各種遊技データ（遊技関連情報）の発生履歴を全ての遊技機に関して詳細に記憶しておき、開店時刻や閉店時刻を変更して該変更した開店時刻や閉店時刻間における発生履歴に基づいて営業中遊技関連情報を集計または修正するようにすることで、開店操作や閉店操作をし忘れたり、誤って開店操作や閉店操作をしても、営業中遊技関連情報を修正することのできるものがある（例えば、特許文献２参照）。
【０００４】
【特許文献１】特開平１０−２０１９２８号公報（第５頁、第３図）
【特許文献２】特開２００３−１９０５６８号公報（第５頁、第７図）
【発明の開示】
【発明が解決しようとする課題】
【０００５】
しかしながら、特許文献２にあっては、開店操作や閉店操作の操作忘れや誤操作に対応できるようになるものの、これらの対応を可能とするために、全ての遊技機の各種遊技データ（遊技関連情報）の発生履歴を、非常に細かな時間間隔にて綿密に記憶して管理しておく必要があり、これらの履歴管理のための高速な処理等を実施するために管理装置の構成が非常に高価なものとなってしまうという問題があった。
【０００６】
本発明は、このような問題点に着目してなされたもので、開店操作や閉店操作の操作忘れや誤操作による営業中遊技関連情報の不全防止を、非常に安価な構成によって得ることのできる遊技用管理装置を提供することを目的とする。
【課題を解決するための手段】
【０００７】
上記課題を解決するために、本発明の請求項１に記載の遊技用管理装置は、
遊技機から出力される当該遊技機における遊技に関連して発生した遊技関連情報を収集するための遊技関連情報収集手段と、
該遊技関連情報収集手段にて収集された遊技関連情報を、各遊技機を個々に識別可能な遊技機識別情報に対応付けて記憶するための遊技関連情報記憶手段と、
該遊技関連情報記憶手段に記憶されている遊技関連情報を出力するための遊技関連情報出力手段と、
を備える遊技用管理装置であって、
現在の時刻情報を出力するための時刻情報出力手段と、
前記遊技関連情報収集手段にて収集した遊技関連情報のうち、前記遊技関連情報記憶手段にその当日の各遊技機の営業中遊技関連情報として記憶を開始する営業開始時刻に関連付けられた記憶開始時刻と、前記遊技関連情報記憶手段にその当日の各遊技機の営業中遊技関連情報としての記憶を終了する営業終了時刻に関連付けられた記憶終了時刻とを設定変更するための遊技情報記憶期間設定変更手段と、
前記時刻情報出力手段から出力される現在の時刻情報が、前記遊技情報記憶期間設定変更手段にて設定された記憶開始時刻となった時点から前記遊技関連情報収集手段にて収集した遊技関連情報を当日の各遊技機の営業中遊技関連情報として前記遊技関連情報記憶手段に記憶を開始し、現在の時刻情報が前記遊技情報記憶期間設定変更手段にて設定された記憶終了時刻となった時点において、前記遊技関連情報収集手段にて収集した遊技関連情報を当日の各遊技機の営業中遊技関連情報として前記遊技関連情報記憶手段に記憶することを終了する制御を行う記憶制御手段と、
を備えることを特徴としている。
この特徴によれば、遊技情報記憶期間設定変更手段により営業開始時刻に関連付けられた記憶開始時刻と営業終了時刻に関連付けられた記憶終了時刻とが設定されることで、該記憶開始時刻において遊技関連情報記憶手段への営業中遊技関連情報の記憶が自動的に開始され、記憶終了時刻において営業中遊技関連情報の記憶が自動的に終了されるようになり、開店操作や閉店操作の操作忘れや誤操作があっても、遊技関連情報記憶手段に営業中遊技関連情報が確実に記憶されるようになるため、これら営業中遊技関連情報が不正確になってしまうことを回避できるとともに、営業中遊技関連情報の修正等のために各種遊技データ（遊技関連情報）の発生履歴を、非常に細かな時間間隔にて綿密に記憶して管理しておく必要がないことから、安価にて開店操作や閉店操作の操作忘れや誤操作による営業中遊技関連情報の不全を防止することができる。
【０００８】
本発明の請求項２に記載の遊技用管理装置は、請求項１に記載の遊技用管理装置であって、
前記遊技情報記憶期間設定変更手段における記憶開始時刻および／または記憶終了時刻の設定変更を許諾するための設定変更許諾手段を備え、
該設定変更許諾手段により許諾されたことを条件に前記遊技情報記憶期間設定変更手段は、記憶開始時刻および／または記憶終了時刻を設定変更すること特徴としている。
この特徴によれば、設定変更許諾手段を有することで、当該設定変更許諾手段により許諾されない場合には、記憶開始時刻または記憶終了時刻を設定変更できないことから、不必要に記憶開始時刻または記憶終了時刻が変更されることにより各種遊技データ（遊技関連情報）が不全となることを極力回避することができる。
【０００９】
本発明の請求項３に記載の遊技用管理装置は、請求項１または２に記載の遊技用管理装置であって、
前記遊技関連情報記憶手段は、前記記憶終了時刻から前記記憶開始時刻までの期間において、前記遊技関連情報収集手段にて収集した遊技関連情報を、各遊技機を個々に識別可能な遊技機識別情報に対応付けて記憶するための時間外遊技情報記憶手段を含み、
該時間外遊技情報記憶手段に記憶されている遊技関連情報の初期化指示を受付け、該初期化指示に基づいて時間外遊技情報記憶手段に記憶されている遊技関連情報を初期化する初期化手段とを備えることを特徴としている。
この特徴によれば、前記記憶終了時刻から前記記憶開始時刻までの期間、つまりは営業終了後から翌日の営業開始までの間においても、各遊技機の遊技関連情報が収集されて時間外遊技情報記憶手段に記憶されるとともに、所望のタイミングにて当該記憶された遊技関連情報を初期化できるようになるため、例えば、閉店後に行う遊技機の調整、例えば釘調整をした後の試し打ち等において、正確な遊技関連情報を簡便に把握することができる。
【００１０】
本発明の請求項４に記載の遊技用管理装置は、請求項１〜３のいずれかに記載の遊技用管理装置であって、
前記遊技関連情報収集手段は、遊技機から出力される前記遊技関連情報を入力するための入力手段と、該入力手段から入力された遊技関連情報を送信するための送信手段と、を備える台端末と、該台端末の送信手段から送信される遊技関連情報を受信するための受信手段と、を含み、
該台端末は前記時刻情報出力手段を備え、該時刻情報出力手段から出力される現在の時刻情報が前記遊技情報記憶期間設定変更手段にて設定されている記憶開始時刻となった時点から前記記憶終了時刻となるまでの間において前記入力手段から入力された遊技関連情報を当日の当該遊技機の営業中遊技関連情報として前記送信手段から送信し、該送信手段から送信された営業中遊技関連情報を前記受信手段は受信すること特徴としている。
この特徴によれば、遊技機から出力される前記遊技関連情報を入力するための入力手段を備える台端末において、記憶開始時刻或いは記憶終了時刻となったか否かの判定が実施されることで、例えば時間差（タイムラグ）を非常に小さなものにでき、収集手段により収集された記憶開始時刻前後の遊技関連情報が、誤って営業中遊技関連情報として記憶されたり、逆に営業中遊技関連情報として記憶されないという問題の発生を低減でき、より正確な営業中遊技関連情報を管理できる。
【００１１】
本発明の請求項５に記載の遊技用管理装置は、請求項１〜４のいずれかに記載の遊技用管理装置であって、
前記遊技情報記憶期間設定変更手段は、複数の遊技機から成るグループ単位毎に前記記憶開始時刻並びに前記記憶終了時刻を設定変更できることを特徴としている。
この特徴によれば、グループ単位にて前記記憶開始時刻および／または前記記憶終了時刻を設定変更できるようになるので、例えば、新装開店における新台や新装対象の遊技機の前記記憶開始時刻並びに前記記憶終了時刻のみを、他の遊技機とは異なるものとしたい場合等にも対応できる。
【発明を実施するための最良の形態】
【００１２】
本発明の実施例を以下に説明する。
図１は、本実施例における遊技用管理装置の構成を示す図であり、この遊技用管理装置は、遊技場において複数配置された遊技島に並設される遊技機としてのパチンコ機２に４台に対して１台設置されて、各パチンコ機２から出力される遊技関連情報を収集する台端末４と、遊技場内の所定箇所に各台端末４と相互にデータ通信可能に接続されて設けられ、当該遊技場に設置されている各パチンコ機２における遊技にて発生した遊技関連情報である遊技データを管理するホールコンピュータ１１０とから主に構成されている。
【００１３】
まず、本実施例に用いた台端末４について説明すると、台端末４は、図２に示すように、その内部に、パチンコ機２に設けられている情報出力基板（図示せず）や、パチンコ機２へ供給されるパチンコ玉数（供給玉数）を計数するための供給玉検出スイッチ６や、パチンコ機２から排出されたパチンコ玉数（打込玉数）を計数するためのアウト玉検出スイッチ７に接続されて、当該パチンコ機２や供給玉検出スイッチ６やアウト玉検出スイッチ７から出力される各種信号が入力される入力手段としての４つの入力ポート４５と、現在時刻の時刻情報を出力するリアルタイムクロック４３と、接続されている各パチンコ機２の遊技関連情報や、後述する記憶開始時刻並びに記憶終了時刻等が記憶される図３に示す台データテーブル等が記憶される不揮発性メモリ４２と、ホールコンピュータ１１０とのデータ通信を行うための送信手段としての通信部４４と、台端末４において実施される各種処理を、図示しない内部ＲＯＭに記憶されている処理プログラムに基づいて実施するマイクロプロセッシングユニット（ＭＰＵ）４１とを有している。
【００１４】
尚、本実施例では、１台の台端末４にて４台のパチンコ機２の遊技関連情報を収集できるように、前記入力ポート４５が４つ設けられており、各ポートにはそれぞれポート番号が付与されていて、該ポート番号にて当該台端末４に接続されている４台のパチンコ機２の内、どのパチンコ機２に関する信号なのかを当該ポート番号にて判別できるようになっている。
【００１５】
また、前記不揮発性メモリ４２内には、図３に示すように、当該台端末４に接続されている４台のパチンコ機２の遊技機識別情報である台番号に対応付けて、当該パチンコ機２並びに該パチンコ機２に対応する供給玉検出スイッチ６とアウト玉検出スイッチ７が接続される入力ポート４５のポート番号の項目と、当該パチンコ機２に関する遊技関連情報を営業中の遊技関連情報として記憶を開始する記憶開始時刻の項目と、当該営業中の遊技関連情報としての記憶を終了する記憶終了時刻の項目と、データ種別となる「営業中」或いは「営業外」が記憶されている時間帯の項目と、遊技関連情報となる供給玉検出スイッチ６から出力される供給信号に基づく供給玉数の項目と、アウト玉検出スイッチ７から出力される打込信号に基づく打込玉数の項目と、該打込玉数から供給玉数を差し引いた値である差玉数の項目と、パチンコ機２に設けられた可変表示装置（図示せず）の可変表示が終了したときにパチンコ機２から出力される始動信号が加算記憶される始動信号数の項目と、パチンコ機２において大当りの発生中において当該パチンコ機２から出力される大当中信号に基づく大当り回数の項目と、パチンコ機２において確率変動大当りの発生中において当該パチンコ機２から出力される確変中信号に基づく確変回数の項目と、その時点での大当中信号の出力状態を示す大当中信号状態の項目と、その時点での確変中信号の出力状態を示す確変中信号状態の項目と、が記憶されている台データテーブルが記憶されている。
【００１６】
また、本実施例の台端末４のＭＰＵ４１は、ホールコンピュータ１１０から送信される設定情報の受信に基づいて、台データテーブルにおいて該受信した設定情報に含まれる台番号に対応付けられている記憶開始時間並びに記憶終了時間の項目に、当該受信した設定情報に含まれる記憶開始時間並びに記憶終了時間を更新記憶する設定情報更新処理を実施する。
【００１７】
また、本実施例の台端末４のＭＰＵ４１は、台データテーブルにおいて各台番号に対応付けられて記憶されている記憶開始時間並びに記憶終了時間と、前記リアルタイムクロック４３から出力される現在時刻の時刻情報とに基づいて、当該台番号に対応するポート番号の入力ポート４５から入力された各種信号に対応する遊技関連情報（遊技データ）の更新を、営業中のものを更新（記憶）するか、営業外のものを更新（記憶）するかを判定して記憶更新を実施する遊技情報記憶更新処理を実施する。具体的には、記憶開始時間に１０時００分が記憶され、記憶終了時間に２３時００分が記憶（登録）されている場合には、リアルタイムクロック４３によるその時点の現在時刻が記憶開始時間である１０時００分前である場合には営業外の遊技関連情報の更新を実施し、その時点の現在時刻が開始時間である１０時００分となった時点から営業中の遊技関連情報の更新を開始し、その時点の現在時刻が終了時間である２３時００分となった時点において営業中の遊技関連情報の更新を終了するとともに、営業外の遊技関連情報の更新を開始する。
【００１８】
これら台データテーブルにおける各遊技関連情報が更新される流れについて具体的に説明すると、本実施例の前記供給玉検出スイッチ６からは、パチンコ機２に供給されたパチンコ玉数が１０球となる毎に１パルスの供給信号が出力されることから、１パルスの供給信号の入力毎に、供給玉数の値に１０を加算更新する。また、同様に本実施例のアウト玉検出スイッチ７からは、パチンコ機２にから排出されたパチンコ玉数が１０球となる毎に１パルスの打込信号が出力されることから、１パルスの打込信号の入力毎に、打込玉数の値に１０を加算更新する。
【００１９】
また、始動信号は可変表示の終了時にパチンコ機２から１パルス出力されることから、１パルスの始動信号入力毎に始動信号数に１を加算し、大当り回数は、大当中信号が新たに出力中状態となったことに基づいて１が加算更新され、確変回数は、確変中信号が新たに出力中状態となったことに基づいて１が加算更新される。
【００２０】
また、本実施例の台端末４のＭＰＵ４１は、遊技場内に設置されているパチンコ機２の台数に基づいて決定される所定時間毎、例えば１０秒毎に、前記データテーブルに記憶している各パチンコ機２の遊技情報を、時間帯の項目内容であるデータ種別（営業中または営業外）と台番号とに対応付けてホールコンピュータ１１０に送信する送信処理を実施する。
【００２１】
また、本実施例の台端末４のＭＰＵ４１は、ホールコンピュータ１１０から後述するリセット要求の受信に基づいて、台データテーブルにおいて該リセット要求とともに受信した台番号に対応付けられている時間外の全ての遊技関連情報（遊技データ）をリセット（初期化）するリセット処理を実施する。
【００２２】
また、本実施例の台端末４のＭＰＵ４１は、起動時等においてホールコンピュータ１１０から送信される後述する時刻修正要求に基づいて、前記リアルタイムクロック４３から出力される現在時刻の修正を実施することで、各台端末４における現在時刻が大幅に狂うことのないようにホールコンピュータ１１０の指示により修正される。
【００２３】
次いで、本実施例に用いたホールコンピュータ１１０の構成を図２に基づいて説明すると、本実施例のホールコンピュータ１１０は、コンピュータ内部にてデータの送受を行うデータバス１１１に、当該ホールコンピュータ１１０が実施する各種処理を実施する記憶制御手段としてのＣＰＵ１１２、ワークメモリ等として使用されるＲＡＭ１１３、その時点の時刻情報やカレンダ情報を出力するリアルタイムクロック１１４、磁気ディスクや光磁気ディスクから成る記憶装置１１５、キーボードやマウス等の入力装置１１６、各種画面等を表示出力するための表示装置１１７や、該表示装置１１７に表示される各種の情報を印刷出力するためのプリンタ１１８、前記台端末４とのデータ通信を行う受信手段としての通信部１１９が接続された通常のコンピュータである。
【００２４】
また、前記記憶装置１１５には、該ホールコンピュータ１１０が実施する各種処理内容が記述された処理プログラムに加えて、図４（ａ）に示す台情報テーブルと、図４（ｂ）に示す遊技情報テーブルとが記憶されている。
【００２５】
この本実施例の台情報テーブルには、図４（ａ）に示すように、該遊技場に設置されている各パチンコ機２の台番号に対応付けて、当該パチンコ機２の機種名や、当該パチンコ機２が設置されている遊技島の島番号、並びに当該パチンコ機２の遊技関連情報を営業中の遊技関連情報として記憶を開始する記憶開始時刻と、当該営業中の遊技関連情報としての記憶を終了する記憶終了時刻とが記憶されている。
【００２６】
また、本実施例の遊技情報テーブルには、図４（ｂ）に示すように、各パチンコ機２の台番号に対応付けて、データ種別として「本日営業中」或いは「本日営業外」と、前日、前々日、前々々日…の７日間の遊技関連情報（遊技データ）が記憶できるようになっていて、台端末４における台データテーブルに記憶されている遊技関連情報と同様に、供給玉数の項目と、打込玉数の項目と、差玉数の項目と、始動回数の項目と、大当り回数の各項目とともに、始動回数と大当り回数とから算出される大当り確率の項目と、各大当りが発生するまでの間の始動回数である大当り間始動回数１，２・・・の項目とが記憶されるとともに、本日営業中のデータについては、打込玉数の変化状況に基づいて判定されるその時点の当該パチンコ機２の稼動状況（稼働／非稼動）が記憶される稼動状況の項目と、台端末４から送信される遊技関連情報に含まれる大当中信号状態や確変中信号状態から判定される遊技状態（通常、大当中、確変中）が記憶される遊技状態の項目とが設けられており、これら遊技情報テーブルにて各パチンコ機２における遊技にて発生した遊技関連情報が記憶、管理されるようになっている。
【００２７】
また、本実施例のホールコンピュータ１１０のＣＰＵ１１２は、前記表示装置１１７に図６に示す営業時間（遊技情報記憶期間）設定画面を表示して、各パチンコ機２における遊技関連情報を営業中の遊技関連情報として記憶を開始する記憶開始時刻と、当該営業中の遊技関連情報としての記憶を終了する記憶終了時刻を受付けて、当該受付けた記憶開始時刻並びに記憶終了時刻を前記台情報テーブルの設定変更対象となる台番号に対応する記憶開始時刻並びに記憶終了時刻に記憶するとともに、当該記憶開始時刻並びに記憶終了時刻と設定変更対象となる台番号とを含む設定情報を台端末４に送信して、当該記憶開始時刻並びに記憶終了時刻を前記台データテーブルに更新記憶させる遊技情報記憶期間設定変更処理を実施する。
【００２８】
また、本実施例のホールコンピュータ１１０のＣＰＵ１１２は、前記営業時間（遊技情報記憶期間）設定画面において入力されたパスワードの一致に基づいて当該営業時間（遊技情報記憶期間）設定画面にて入力された記憶開始時刻並びに記憶終了時刻の設定内容への設定変更を許諾する設定変更許諾処理を実施し、当該設定変更許諾処理により許諾されたことを条件に前記遊技情報記憶期間設定変更処理を実施する。
【００２９】
また、本実施例のホールコンピュータ１１０のＣＰＵ１１２は、前記台端末４から送信される遊技関連情報に基づいて、遊技情報テーブルにおいて当該遊技関連情報に含まれるデータ種別（営業中または営業外）と台番号とに対応付けられている各遊技関連情報を、当該遊技関連情報に含まれる各種遊技データに更新する記憶制御処理を実施する。
【００３０】
また、本実施例のホールコンピュータ１１０のＣＰＵ１１２は、前記遊技情報テーブルに記憶されている遊技関連情報を図７に示すように、遊技データとして表示する遊技関連情報出力処理を実施する。
【００３１】
また、本実施例のホールコンピュータ１１０のＣＰＵ１１２は、前記営業時間（遊技情報記憶期間）設定画面において設定された記憶開始時刻と記憶終了時刻との期間外、つまりは営業外の期間において、所定の操作に基づいて図８に示すリセット指定画面を表示装置１１７に表示して、営業外の遊技関連情報のリセットを行うパチンコ機の台番号の指定を受付け、当該リセット指定画面において受付けたパスワードの一致に基づいて、前記遊技情報テーブルにおいて当該指定された台番号に対応付けられている営業外の遊技関連情報を全てリセットするとともに、当該指定された台番号とリセット要求とを台番号から特定されるパチンコ機２に接続されている台端末４に送信して、前記台データテーブルにて当該指定された台番号に対応付けられている営業外の遊技関連情報を全てリセットさせる初期化処理を実施する。
【００３２】
また、本実施例のホールコンピュータ１１０のＣＰＵ１１２は、各台端末４の起動時における接続確認等において、各台端末４に対して、前記リアルタイムクロック４３から出力される現在時刻の修正を実施するための時刻修正要求を送信する時刻修正要求送信処理を実施する。
【００３３】
以下、本実施例の遊技用管理装置における処理状況を、図５に基づいて以下に説明する。まず、ホールコンピュータ１１０において、遊技場内に設置されている各パチンコ機２に関する遊技関連情報を、営業中の遊技関連情報として管理する時間帯を変更したい場合には、ホールコンピュータ１１０にて所定操作を実施して表示装置１１７に図６に示す営業時間（遊技情報記憶期間）設定画面を表示させ、該営業時間（遊技情報記憶期間）設定画面において変更内容を選択設定することで変更を実施できるようになっている。
【００３４】
この本実施例の営業時間（遊技情報記憶期間）設定画面には、図６に示すように、設定を変更する対象グループを選択するための「対象グループ種別」の項目と、対象グループを指定するための「対象グループ」の項目と、営業中の遊技関連情報として記憶を開始する営業開始時刻に関連付けられた記憶開始時刻を、営業開始時刻の何分前とするかを設定するための「記憶開始時刻」の項目と、営業中の遊技関連情報として記憶を終了する営業終了時刻に関連付けられた記憶終了時刻を、営業終了時刻の何分後とするかを設定するための「記憶終了時刻」の項目と、パスワードを入力するための「パスワード」の項目とが設けられている。
【００３５】
この営業時間（遊技情報記憶期間）設定画面の「対象グループ種別」の項目には、グループの種別として機種単位、島別単位、半島単位の各項目がポップアップメニューから選択できるようになっており、例えば該「対象グループ種別」において「機種単位」を選択した場合には、「対象グループ」の項目には、前記台情報テーブルの機種名に記憶されている各機種名が選択可能にポップアップメニューに表示されるようになり、また、例えば前記「対象グループ種別」において「島別単位」を選択した場合には、「対象グループ」の項目には島番号が選択可能にポップアップメニューに表示されるようになっている。
【００３６】
これら「対象グループ種別」並びに「対象グループ」の項目にて設定を変更する対象とする複数のパチンコ機２から成るグループの指定を実施した後、「記憶開始時刻」の項目と「記憶終了時刻」の項目に変更する設定内容を選択入力する。具体的には、例えば記憶開始時刻を営業開始時間と全く同一に１０時００分としたい場合には、営業開始時刻に１０時００分を選択入力するとともに、０分前を選択入力すれば良く、例えば記憶終了時刻を営業終了時間と全く同一に２３時００分としたい場合には、営業終了時刻に２３時００分を選択入力するとともに、０分後を選択入力すれば良い。尚、前記０分前や０分後の選択内容を適宜に変更、例えば５分や１０分のように選択することで、営業開始時刻の５分前や１０分前、或いは営業終了時刻の５分後や１０分後を設定できるようになっている。
【００３７】
尚、本実施例では、記憶開始時刻並びに記憶終了時刻の入力形態として、営業開始時刻と０分前や０分後のように入力するようにしているが、本発明はこれに限定されるものではなく、これら記憶開始時刻並びに記憶終了時刻自体を、例えは、営業開始時刻の５分前であれば９時５５分のように直接入力するようにしても良い。
【００３８】
このようにして記憶開始時刻並びに記憶終了時刻を入力した後、パスワードの項目に予めホールコンピュータ１１０に登録してあるパスワードを入力して「設定」の選択入力部を選択入力する。
【００３９】
該「設定」の選択入力に基づいて、ホールコンピュータ１１０のＣＰＵ１１２は、当該営業時間（遊技情報記憶期間）設定画面にて受付けたパスワードが、予め登録されているパスワードと一致するか否かを判定し、一致する場合において、営業時間（遊技情報記憶期間）設定画面にて受付けた「対象グループ種別」並びに「対象グループ」の選択内容に基づいて、設定を変更する対象となるパチンコ機２の台番号を特定し、該特定したパチンコ機２の記憶開始時刻並びに記憶終了時刻を、当該営業時間（遊技情報記憶期間）設定画面にて受付けた記憶開始時刻並びに記憶終了時刻に変更することを許諾する。
【００４０】
そして、該許諾に基づいてＣＰＵ１１２は、該特定した台番号に対応付けて台情報テーブルに記憶されている記憶開始時刻並びに記憶終了時刻に、前記営業時間（遊技情報記憶期間）設定画面にて受付けた記憶開始時刻並びに記憶終了時刻を記憶するとともに、当該新たに記憶した記憶開始時刻並びに記憶終了時刻と台番号とを含む設定情報を、当該台番号にて特定されるパチンコ機２が接続されている台端末４に対して送信する。
【００４１】
該設定情報の受信に基づいて台端末４のＭＰＵ４１は、台データテーブルにおいて該設定情報に含まれる台番号に対応付けられている記憶開始時間並びに記憶終了時間に、該設定情報に含まれる記憶開始時間並びに記憶終了時間を記憶更新することで、ホールコンピュータ１１０の前記営業時間（遊技情報記憶期間）設定画面にて変更された記憶開始時間並びに記憶終了時間が、設定対象とされたパチンコ機２に接続されている台端末４に反映される。
【００４２】
そして、台端末４のＭＰＵ４１は、該台データテーブルに記憶された記憶開始時間前において、入力ポート４５から各種信号の入力があった場合においては、当該信号の入力があったポート番号とから台番号を特定し、該特定した台番号と入力信号の種別とから、台データテーブルにて更新対象とする営業外の時間帯のデータを特定して更新する。
【００４３】
そして、これら台データテーブルにて記憶されている各パチンコ機２の遊技関連情報である遊技データは、台番号とデータ種別である「営業外」を示すデータとともにホールコンピュータ１１０に所定時間毎に送信されることで、当該遊技データに基づいて前記遊技情報テーブルにおける当該台番号の「本日営業外」の遊技関連情報が更新される。
【００４４】
そして、前記リアルタイムクロック４３から出力される現在時刻が、前記台データテーブルに記憶された記憶開始時間となった時点、例えば１０時００となった時点から、入力ポート４５から各種信号の入力があった場合においては、当該信号の入力があったポート番号とから台番号を特定し、該特定した台番号と入力信号の種別とから、台データテーブルにて更新対象とする営業中の時間帯のデータを特定して更新することで、営業中への遊技関連情報の記憶を開始する。
【００４５】
そして、これら台データテーブルにて記憶されている各パチンコ機２の遊技関連情報である遊技データは、台番号とデータ種別である「営業中」を示すデータとともにホールコンピュータ１１０に所定時間毎に遊技関連情報として送信されることで、当該遊技関連情報に含まれる遊技データに基づいて前記遊技情報テーブルにおける当該台番号の「本日営業中」の遊技関連情報が更新される。
【００４６】
そして、前記リアルタイムクロック４３から出力される現在時刻が、前記台データテーブルに記憶された記憶終了時間となった時点、例えば２３時００となった時点から、入力ポート４５から各種信号の入力があった場合においては、当該信号の入力があったポート番号とから台番号を特定し、該特定した台番号と入力信号の種別とから、台データテーブルにて更新対象とする営業外の時間帯のデータを特定して更新し、それまで実施していた営業中への遊技関連情報の記憶を終了する。
【００４７】
そして、これら台データテーブルにて記憶されている各パチンコ機２の遊技関連情報である遊技データは、前記開始時刻前の場合と同様に、台番号とデータ種別である「営業外」を示すデータとともにホールコンピュータ１１０に所定時間毎に遊技関連情報として送信されることで、当該遊技関連情報に含まれる遊技データに基づいて前記遊技情報テーブルにおける当該台番号の「本日営業外」の遊技関連情報が更新される。
【００４８】
そして、このようにしてホールコンピュータ１１０の遊技情報テーブルに収集されて記憶、管理されている各パチンコ機２の遊技関連情報は、所定操作を実施することで、図７に示す遊技データ画面に示すように、各パチンコ機２の台番号に対応付けて一覧表示される。
【００４９】
そして、該遊技データ画面の下方位置には、「営業外データ」、「前日データ」、「前々日データ」、「前々日以前」の各選択入力部が設けられており、「営業外データ」を選択入力することで、遊技情報テーブルに収集されて記憶、管理されている各パチンコ機２の営業外のデータが各パチンコ機２の台番号に対応付けて一覧表示され、「前日データ」を選択入力することで、遊技情報テーブルに収集されて記憶、管理されている各パチンコ機２の前日のデータ（前日の営業中データ）が各パチンコ機２の台番号に対応付けて一覧表示され、「前々日データ」を選択入力することで、遊技情報テーブルに収集されて記憶、管理されている各パチンコ機２の前日のデータ（前日の営業中データ）が各パチンコ機２の台番号に対応付けて一覧表示される。尚、「前々日以前」の選択入力部を選択した場合には、表示対象とする日の指定を受付ける画面が表示され、該画面にて指定された日のデータが表示される。
【００５０】
そして、営業終了後や営業開始前の営業外の時間帯において、釘調整や試し打ち等を実施する際に、正確な遊技データを把握したい場合には、当該正確な遊技データを取得したいパチンコ機２の台番号を、所定操作により表示装置１２７に表示される図８に示すリセット指定画面の対象台番号の項目に入力するとともに、パスワードを入力し「実行」の選択入力部を選択入力することで、当該入力したパスワードが一致した場合において、前記遊技情報テーブルにおいて当該リセット指定画面の対象台番号の項目にて指定された台番号に対応付けられている営業外の遊技関連情報が全てリセットされるとともに、当該台番号とリセット要求とが、台番号から特定されるパチンコ機２に接続されている台端末４に対してホールコンピュータ１１０から送信される。
【００５１】
そして、該台番号とリセット要求とを受信した台端末４のＭＰＵ４１は、台データテーブルにおいて該受信した台番号に対応付けられている「時間外」の項目中の全ての遊技関連情報である遊技データをリセット（初期化）し、該初期化した後において、当該リセットした台番号に対応するポート番号の入力ポート４５から各種信号の入力があった場合においては、当該リセットした営業外の時間帯の遊技関連情報である遊技データの内、入力信号の種別に対応する遊技データを更新する。
【００５２】
そして、これらリセット後において台データテーブルにて記憶されている当該パチンコ機２の遊技関連情報である遊技データは、台番号とデータ種別である「営業外」を示すデータとともにホールコンピュータ１１０に所定時間毎に遊技関連情報として送信されることで、当該遊技データに基づいて前記遊技情報テーブルにおける当該台番号の「本日営業外」の遊技関連情報が更新される。そして、このようにして該遊技情報テーブルにリセット後において更新記憶された遊技関連情報は、所定操作によって表示装置１１７に遊技データ画面（営業外データ）を表示させることによって表示されるようになるため、該リセット後の当該パチンコ機２における遊技関連情報を正確に把握することができる。
【００５３】
以上、本発明の実施例によれば、遊技情報記憶期間設定変更処理により営業開始時刻に関連付けられた記憶開始時刻と営業終了時刻に関連付けられた記憶終了時刻とが、台端末４に更新記憶されて設定されることで、該記憶開始時刻において遊技関連情報記憶手段となる不揮発性メモリ４２に記憶されている台データテーブルの営業中に対応する遊技関連情報（営業中遊技関連情報）への記憶が自動的に開始され、記憶終了時刻において、該営業中に対応する遊技関連情報（営業中遊技関連情報）への記憶が自動的に終了されるようになり、開店操作や閉店操作の操作忘れや誤操作があっても、遊技関連情報記憶手段となる台データテーブルに営業中の遊技関連情報（営業中遊技関連情報）が確実に記憶されるようになるため、これら営業中の遊技関連情報（営業中遊技関連情報）が不正確になってしまうことを回避できるとともに、営業中の遊技関連情報（営業中遊技関連情報）の修正等のために各種遊技データ（遊技関連情報）の発生履歴を、非常に細かな時間間隔にて綿密に記憶して管理しておく必要がないことから、安価にて開店操作や閉店操作の操作忘れや誤操作による営業中遊技関連情報の不全を防止することができる。
【００５４】
また、本発明の実施例によれば、ホールコンピュータ１１０が前記設定変更許諾処理を実施することで、当該設定変更許諾処理により許諾されない場合、つまりはパスワードが一致しない場合には、記憶開始時刻または記憶終了時刻を設定変更できないことから、不必要に記憶開始時刻または記憶終了時刻が変更されることにより各種遊技データ（遊技関連情報）が不全となることを極力回避することができる。
【００５５】
また、本発明の実施例によれば、前記記憶終了時刻から前記記憶開始時刻までの期間、つまりは営業終了後から翌日の営業開始までの間（営業外）においても、各パチンコ機２の遊技関連情報が収集されて時間外遊技情報記憶手段としての台データテーブルの営業外の項目に記憶されるとともに、所望のタイミングにて当該記憶された遊技関連情報を初期化（リセット）できるようになるため、例えば、閉店後に行う遊技機の調整（釘調整をした後の試し打ち）等において、正確な遊技関連情報（遊技データ）を簡便に把握することができる。
【００５６】
また、本発明の実施例によれば、パチンコ機２から出力される前記遊技関連情報である各種信号を入力するための入力手段となる入力ポート４５を備える台端末４において、記憶開始時刻或いは記憶終了時刻となったか否かの判定が実施されることで、ホールコンピュータ１１０からの記憶開始指示の受信等により営業中の遊技関連情報としての記憶を開始する場合等に比較して記憶を開始するまでの時間差（タイムラグ）を非常に小さなものにできるとともに、ホールコンピュータ１１０から記憶開始の指示を受信して記憶を開始する場合に比較して、通信障害等により当該指示が受信されないこと等の不具合を生じることがないことから、当該パチンコ機２から出力される遊技関連情報が、誤って営業中遊技関連情報として記憶されたり、逆に営業中遊技関連情報として記憶されないという問題の発生を低減でき、より正確な営業中遊技関連情報を管理できる。
【００５７】
また、本発明の実施例によれば、グループ単位にて前記記憶開始時刻および前記記憶終了時刻を設定変更できるようになるので、例えば、新装開店における新台や新装対象のパチンコ機２の前記記憶開始時刻並びに前記記憶終了時刻のみを、他のパチンコ機２とは異なるものとしたい場合等にも対応できる。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、本発明の遊技関連情報記憶手段となる台データテーブルと遊技情報テーブルとを、台端末４とホールコンピュータ１１０の双方に有するようにしているが、本発明はこれに限定されるものではなく、例えば、台端末４においては台データテーブルに遊技関連情報を記憶することなく、記憶開始時刻となった時点から前記入力ポート４５に入力される各種信号の入力情報を、当該入力情報が営業中のものであるか営業外のものであるかを示すデータ種別情報とともにホールコンピュータ１１０に送信することで、該データ種別情報に基づいてホールコンピュータ１１０において営業中または営業外の遊技情報として記憶を実施（開始）するようにしても良い。
【００６０】
また、前記実施例では、設定情報を台端末４に送信して記憶開始時刻並びに記憶終了時刻を変更記憶し、該台端末４のＭＰＵ４１がリアルタイムクロック４３の現在時刻の時刻情報に基づいて現在時刻が記憶開始時刻となったか否かを判定するようにしているが、本発明はこれに限定されるものではなく、これら現在時刻が記憶開始時刻となったか否かの判定をホールコンピュータ１１０にて実施し、該現在時刻が記憶開始時刻となったことを各台端末４にホールコンピュータ１１０が通知するようにしても良い。
【００６１】
また、前記実施例では、１台の台端末４に４台のパチンコ機２を接続するようにしているが、本発明はこれに限定されるものではなく、これら台端末４を各パチンコ機２毎に設けたり、より多くの台数、例えは１台の台端末に１０台のパチンコ機２を接続するようにしても良い。
【００６２】
また、前記実施例では、台端末４とホールコンピュータ１１０とを直接接続するようにしているが、本発明はこれに限定されるものではなく、これら台端末４とホールコンピュータ１１０との間において、所定数台端末４毎に中継端末を配置して、当該中継端末を介して台端末４とホールコンピュータ１１０とが接続されるようにしても良い。
【００６３】
また、前記実施例では、リセットの操作をホールコンピュータ１１０側にて実施するようにしているが、本発明はこれに限定されるものではなく、これらリセットの指示を台端末４側において実施できるようにしても良い。
【００６４】
また、前記実施例では、パスワードにより記憶開始時刻や記憶終了時刻の設定変更の許諾／非許諾を判定するようにしているが、本発明はこれに限定されるものではなく、これらの許諾が、例えば特定の操作キーの挿入においてのみ許諾されるようにしても良い。
【００６５】
また、前記実施例では、台端末４を設けているが、本発明はこれに限定されるものではなく、例えば、遊技場内に設置されているパチンコ機２の台数が、比較的少数である場合には、これら台端末４を設けずに、各パチンコ機２や、供給玉検出スイッチ６や、アウト玉検出スイッチ７からの各種信号の入力を、ホールコンピュータ１１０が直接受付けるようにしても良い。
【００６６】
また、前記実施例では、記憶開始時刻や記憶終了時刻の設定変更をグループ単位毎に実施できるようにしているが、本発明はこれに限定されるものではなく、これら記憶開始時刻や記憶終了時刻の設定変更を、台番号を指定して台単位にて実施できるようにしても良い。尚、これらグループの内容としては、前記した機種や島や半島に限定されるものではなく、これらグループは適宜に形成すれば良い。
【００６７】
また、前記実施例では、営業開始前と営業終了後の遊技関連情報を営業外（本日営業外）に記憶するようにしているが、本発明はこれに限定されるものではなく、これら営業外を営業前と営業後に分けて、個別に記憶するようにしても良い。
【００６８】
また、前記実施例では、記憶開始時刻と記憶終了時刻の双方を設定変更できるようにしているが、本発明はこれに限定されるものではなく、これら記憶開始時刻と記憶終了時刻のいずれか一方のみを設定変更できるようにしても良い。
【００６９】
前記実施例における各要素は、本発明に対して以下のように対応している。
本発明の請求項１は、遊技機（パチンコ機２）から出力される当該遊技機における遊技に関連して発生した遊技関連情報を収集するための遊技関連情報収集手段（台端末４、通信部１１９）と、該遊技関連情報収集手段にて収集された遊技関連情報を、各遊技機を個々に識別可能な遊技機識別情報（台番号）に対応付けて記憶するための遊技関連情報記憶手段（不揮発性メモリ４２；台データテーブル、記憶装置１１５；遊技情報テーブル）と、該遊技関連情報記憶手段に記憶されている遊技関連情報を出力するための遊技関連情報出力手段（ＣＰＵ１１２；遊技関連情報出力処理、表示装置１１７）と、を備える遊技用管理装置（ホールコンピュータ１１０、台端末４）であって、現在の時刻情報を出力するための時刻情報出力手段（リアルタイムクロック４３，１１４）と、前記遊技関連情報収集手段にて収集した遊技関連情報のうち、前記遊技関連情報記憶手段にその当日の各遊技機の営業中遊技関連情報として記憶を開始する営業開始時刻に関連付けられた記憶開始時刻と、前記遊技関連情報記憶手段にその当日の各遊技機の営業中遊技関連情報としての記憶を終了する営業終了時刻に関連付けられた記憶終了時刻とを設定変更するための遊技情報記憶期間設定変更手段（ＣＰＵ１１２；遊技情報記憶期間設定変更処理）と、前記時刻情報出力手段から出力される現在の時刻情報が、前記遊技情報記憶期間設定変更手段にて設定された記憶開始時刻となった時点から前記遊技関連情報収集手段にて収集した遊技関連情報を当日の各遊技機の営業中遊技関連情報として前記遊技関連情報記憶手段に記憶を開始し、現在の時刻情報が前記遊技情報記憶期間設定変更手段にて設定された記憶終了時刻となった時点において、前記遊技関連情報収集手段にて収集した遊技関連情報を当日の各遊技機の営業中遊技関連情報として前記遊技関連情報記憶手段に記憶することを終了する制御を行う記憶制御手段（ＣＰＵ１１２；記憶制御処理）と、を備える。
【００７０】
本発明の請求項２は、前記遊技情報記憶期間設定変更手段（ＣＰＵ１１２；遊技情報記憶期間設定変更処理）における記憶開始時刻および／または記憶終了時刻の設定変更を許諾するための設定変更許諾手段（ＣＰＵ１１２；設定変更許諾処理）を備え、該設定変更許諾手段により許諾されたことを条件に前記遊技情報記憶期間設定変更手段は、記憶開始時刻および／または記憶終了時刻を設定変更する。
【００７１】
本発明の請求項３は、前記遊技関連情報記憶手段（不揮発性メモリ４２；台データテーブル、記憶装置１１５；遊技情報テーブル）は、前記記憶終了時刻から前記記憶開始時刻までの期間において、前記遊技関連情報収集手段（台端末４、入力ポート４５）にて収集した遊技関連情報を、各遊技機（パチンコ機２）を個々に識別可能な遊技機識別情報に対応付けて記憶するための時間外遊技情報記憶手段（不揮発性メモリ４２；台データテーブル、記憶装置１１５；遊技情報テーブルの営業外（本日営業外）の項目）を含み、該時間外遊技情報記憶手段に記憶されている遊技関連情報の初期化指示を受付け、該初期化指示に基づいて時間外遊技情報記憶手段に記憶されている遊技関連情報を初期化する初期化手段（ＣＰＵ１１２；初期化処理）とを備える。
【００７２】
本発明の請求項４は、前記遊技関連情報収集手段（台端末４）は、遊技機（パチンコ機２）から出力される前記遊技関連情報を入力するための入力手段（入力ポート４５）と、該入力手段から入力された遊技関連情報を送信するための送信手段（通信部４４）と、を備える台端末４と、該台端末の送信手段から送信される遊技関連情報を受信するための受信手段（通信部１１９）と、を含み、該台端末４は前記時刻情報出力手段（リアルタイムクロック４３）を備え、該時刻情報出力手段から出力される現在の時刻情報が前記遊技情報記憶期間設定変更手段（ＣＰＵ１１２；遊技情報記憶期間設定変更処理）にて設定されている記憶開始時刻となった時点から前記記憶終了時刻となるまでの間において前記入力手段から入力された遊技関連情報を当日の当該遊技機の営業中遊技関連情報（営業中のデータ種別を含む遊技関連情報）として前記送信手段から送信し、該送信手段から送信された営業中遊技関連情報を前記受信手段は受信する。
【００７３】
本発明の請求項５は、前記遊技情報記憶期間設定変更手段（ＣＰＵ１１２；遊技情報記憶期間設定変更処理、営業時間（遊技情報記憶期間）設定画面）は、複数の遊技機から成るグループ単位（機種、島、半島）毎に前記記憶開始時刻並びに前記記憶終了時刻を設定変更できる。
【図面の簡単な説明】
【００７４】
【図１】本発明の実施例における遊技用管理装置の構成を示す図である。
【図２】本発明の実施例における遊技用管理装置を構成するホールコンピュータ並びに台端末の構成を示すブロック図である。
【図３】本発明の実施例に用いた台端末に記憶されている台データテーブルを示す図である。
【図４】本発明の実施例に用いたホールコンピュータに記憶されている遊技情報テーブルを示す図である。
【図５】本発明の実施例に用いたホールコンピュータと台端末との処理状況を示す図である。
【図６】本発明の実施例に用いたホールコンピュータにおける営業時間（遊技情報記憶期間）設定画面を示す図である。
【図７】本発明の実施例に用いたホールコンピュータにおける遊技データ画面を示す図である。
【図８】本発明の実施例に用いたホールコンピュータにおけるリセット指定画面を示す図である。
【符号の説明】
【００７５】
２        パチンコ機
４        台端末
４２      不揮発性メモリ
４３      リアルタイムクロック
４４      通信部
４５      入力ポート
１１０    ホールコンピュータ
１１４    リアルタイムクロック
１１５    記憶装置
１１７    表示装置
１１９    通信部
【図１】
2005152221.tif 000003
【図２】
2005152221.tif 000004
【図３】
2005152221.tif 000005
【図４】
2005152221.tif 000006
【図５】
2005152221.tif 000007
【図６】
2005152221.tif 000008
【図７】
2005152221.tif 000009
【図８】
2005152221.tif 000010